(57)【要約】受信機は、２つのチューナと、主供給電圧に基づいて増大化供給電圧（ＶＨ）を発生するＤＣ−ＤＣコンバータ（ＤＣＣ）とを備える。各チューナは、同調電圧（ＶＴ１）によって同調させることができる可同調回路（ＴＵＣ１）を備える。各チューナは、更に、同調電圧（ＶＴ１）を発生する負荷回路（ＬＤ１）を介してＤＣ−ＤＣコンバータ（ＤＣＣ）に結合される同調制御回路（ＴＣＣ１）を備える。２つのチューナのうちの少なくとも一方の負荷回路（ＬＤ１）は、主供給電圧（ＶＣＣ）を受電するように結合された枝路（Ｄ１）を備える。枝路（Ｄ１）は、同調電圧（ＶＴ１）が０と主供給電圧（ＶＣＣ）との間に実質的に含まれる電圧範囲内にあるときに導通となる。
2009524965.tif 000002
【特許請求の範囲】
【請求項１】
２つのチューナと、主供給電圧に基づいて増大化供給電圧を発生するＤＣ−ＤＣコンバータとを備える受信機であって、
前記２つのチューナの各々は、同調電圧によって同調させることができる可同調回路と、前記同調電圧を発生する負荷回路を介してＤＣ−ＤＣコンバータに結合される同調制御回路とを備え、前記２つのチューナのうちの少なくとも一方の負荷回路は、前記主供給電圧を受電するように結合された枝路を備え、前記枝路は、前記同調電圧が０と前記主供給電圧との間に実質的に含まれる電圧範囲内にあるときに導通となる、受信機。
【請求項２】
前記主供給電圧を受電するように結合される前記負荷回路の枝路は、ダイオードからなる、請求項１に記載の受信機。
【請求項３】
前記負荷回路は、２つの抵抗がコモンノードを有するように、直列に結合した前記２つの抵抗を備え、一方の抵抗は、前記増大化供給電圧が存在する端子を有し、他方の抵抗は、前記同調電圧が存在する端子を有し、前記ダイオードは、前記２つの抵抗のコモンノードに結合される、請求項２に記載の受信機。
【請求項４】
前記２つの抵抗のそれぞれの値は、前記増大化供給電圧を前記増大化供給電圧が存在する端子を有する抵抗の値で除算した値が、前記主供給電圧を前記同調電圧が存在する端子を有する抵抗の値で除算した値の大きさのオーダー以内にあるという規則に従った値を有する、請求項３に記載の受信機。
【請求項５】
２つのチューナと、主供給電圧に基づいて増大化供給電圧を発生するＤＣ−ＤＣコンバータとを備える受信機の同調方法であって、
前記２つのチューナの各々は、同調電圧によって同調させることができる可同調回路と、前記同調電圧を発生する負荷回路を介してＤＣ−ＤＣコンバータに結合される同調制御回路とを備え、前記２つのチューナのうちの少なくとも一方の負荷回路は、前記主供給電圧を受電するように結合された枝路を備えており、
前記同調電圧が０と前記主供給電圧との間に実質的に含まれる電圧範囲内にあるときに、前記枝路を導通とするように制御するステップを含む、受信機の同調方法。   
【請求項６】
オーディオビジュアル信号をレンダリングするためのレンダリングデバイスと、
無線周波数スペクトラムから前記オーディオビジュアル信号を得るための請求項１に記載の受信機とを備える、オーディオビジュアル装置。
【発明の詳細な説明】
【技術分野】
【０００１】
本発明の一態様は、２つのチューナを備える受信機に関する。この受信機は、例えば、ピクチャ・イン・ピクチャの画像を提供可能なテレビジョン受信機とすることができる。別の例では、レンダリングされる１つのチャンネルを受信する一方のチューナと、別のチャンネルを記録する他方のチューナとを有するセットトップボックスである。本発明の別の態様は、オーディオビジュアル装置に関する。
【背景技術】
【０００２】
欧州特許第０，７３９，５３５号によれば、ＤＣ−ＤＣコンバータが同調制御電圧をチューナに供給する同調システムについて記載されている。ＤＣ−ＤＣコンバータは、ＡＣ源、誘導素子、及び整流器回路の直列回路配列の形態にある。ＡＣ源によって供給されるＡＣ信号は、同調検出回路からの同調エラー信号によって制御される。誘導素子は、このＡＣ信号をより高い振幅のＡＣ信号に変換する。後者のＡＣ信号は、同調制御電圧を供給するために整流される。事実上、ＤＣ−ＤＣコンバータは、同調制御ループの一部である。この同調制御ループは、ＤＣ−ＤＣコンバータの出力電圧を決定する。
【発明の開示】
【発明が解決しようとする課題】
【０００３】
まず、本発明の一態様によれば、受信機は、２つのチューナと、主供給電圧に基づいて増大化供給電圧を発生するＤＣ−ＤＣコンバータとを備える。各チューナは、同調電圧によって同調させることができる可同調回路を含む。各チューナは、更に、同調電圧を発生する負荷回路を介してＤＣ−ＤＣコンバータと結合される同調制御回路を備える。少なくとも２つのチューナの一方の負荷回路は、主供給電圧を受電するように結合された枝路を備える。この枝路は、同調電圧が０と主供給電圧との間に実質的に含まれる電圧範囲内にあるときに導通する。
【０００４】
本発明は、以下の態様を考慮に入れている。チューナは、典型的には、チューナ内の１つ以上のバラクタ、又は他の電圧依存するインピーダンスに供給される同調電圧によって同調させる。同調電圧は、チューナが一部を形成する受信機内の主供給電圧よりも高くする必要性が生じることもある。例えば、同調電圧は、０〜２８ボルト間に含まれる範囲内で変化させる必要性が生じることもあるが、主供給電圧は、５ボルト専用の場合がある。このような場合に、ＤＣ−ＤＣコンバータを用いて、主供給電圧を超える値を有する同調電圧を許容できるようにする。
【０００５】
２つのチューナを備える受信機では、この２つのチューナでそれぞれの同調電圧を発生する単一ＤＣ−ＤＣコンバータを用いることにより、小型且つローコストの実装が可能になる。このような実装では、各チューナは、各チューナを介する負荷回路を有することができ、この負荷回路は、各チューナがＤＣ−ＤＣコンバータから負荷電流を得ることができるようにする。同調電圧は、負荷回路内の電圧降下から生じる。同調電圧が低いほど、ＤＣ−ＤＣコンバータによって供給するのに必要とされる負荷電流が高くなる。
【０００６】
２つのチューナ用に単一ＤＣ−ＤＣコンバータを用いる上記の受信機には、問題が生じる。ここで、２つのチューナの一方は、チューナＡと称し、他方はチューナＢと称する。チューナＡは、比較的低い値を有する同調電圧のチャンネルに同調させるとする。チューナＡは、ＤＣ−ＤＣコンバータから比較的大きい負荷電流を得る。ＤＣ−ＤＣコンバータは、所定の電源供給能力がある。チューナＡが得る比較的大きい負荷電流は、ＤＣ−ＤＣコンバータの電源供給能力を超え、このため、増大化供給電圧をかなり降下させうる。更に、チューナＢは、比較的高い値を有する同調電圧のチャンネルに同調させる必要があるとする。チューナＡがＤＣ−ＤＣコンバータから得る比較的大きい負荷電流は、チューナＢの同調電圧が必要とする比較的高い値よりも低い値に、増大化供給電圧を降下させうる。このような場合、チューナＢは、同調電圧がＤＣ−ＤＣコンバータによって供給される増大化供給電圧を超えることができないので、正しく同調することができなくなる。
【課題を解決するための手段】
【０００７】
本発明の前述した態様によれば、少なくとも１つのチューナの負荷回路は、主供給電圧を受電するように結合された枝路を備える。この枝路は、同調電圧が０と主供給電圧の間に実質的に含まれる電圧範囲内にあるときに導通する。
【０００８】
従って、同調電圧が比較的低い場合、主供給電圧から負荷電流を少なくとも部分的に得るようにする。これにより、同調電圧が比較的低い場合、ＤＣ−ＤＣコンバータが比較的大きい出力電流を供給する必要性を防ぐようにする。増大化供給電圧は、負荷電流をＤＣ−ＤＣコンバータから完全に得るように実装したものと比較して、同調電圧の値に関らず、少なめの量に降下する。これにより、本発明は、前述したような同調問題が起こるのを防ぐことができる。 このため、本発明は、より大きな信頼性を得ることができる。
【０００９】
本発明の別の利点は、以下の態様に関する。原理上、ＤＣ−ＤＣコンバータの電源供給能力を増大することによって、前述した同調問題を解決することが可能である。しかしながら、一般に、ＤＣ−ＤＣコンバータの電源供給能力を増大するのは、ＤＣ−ＤＣコンバータ内の発振信号電力を増大する必要がある。比較的高い発振信号電力は、干渉を引き起こしうる。適切なシールディングによって干渉を抑えることができるが、これは、通常、比較的高価になる。本発明は、ＤＣ−ＤＣコンバータの電源供給能力を増大することなく前述した同調問題を防ぐことができ、又は、前述した同調問題を防ぐために別の方法で必要とされるものよりも小さい量で電源供給能力を高めることができる。このため、本発明は、干渉のない実装と、低コストの実装とを可能にする。
【００１０】
以下、本発明のこれらの態様及び他の態様は、図面を参照して、更に詳細に説明する。
【発明を実施するための最良の形態】
【００１１】
図１は、オーディオビジュアル装置ＡＶＳを示す。オーディオビジュアル装置ＡＶＳは、表示デバイスＤＰＬと、受信機ＲＥＣと、遠隔制御デバイスＲＣＤとを備える。従って、受信機ＲＥＣは、様々な異なるチャンネルを含む無線周波数スペクトラムＲＦからオーディオビジュアル信号を取り出す。受信機ＲＥＣは、いわゆるダブルチューナ受信機である。従って、オーディオビジュアル信号ＳＯは、２つの異なるチャンネルに含まれるビデオ信号又はオーディオ信号の合成、又はその双方とすることができる。表示デバイスＤＰＬは、オーディオビジュアル信号ＳＯをレンダリングする。図１は、主ピクチャ及び副ピクチャを含むピクチャ・イン・ピクチャの画像を表示する表示デバイスＤＰＬを示している。例えば、主ピクチャは、チャンネルＡに基づくものとでき、副ピクチャは、チャンネルＢに基づくものとできる。
【００１２】
受信機ＲＥＣは、入力回路ＩＮＰと、２つの可同調回路ＴＵＣ１，ＴＵＣ２と、２つの同調制御回路ＴＣＣ１，ＴＣＣ２と、２つの負荷回路ＬＤ１，ＬＤ２と、バックエンド回路ＢＥＣと、ＤＣ−ＤＣコンバータＤＣＣと、コントローラＣＴＲＬとを備える。可同調回路ＴＵＣ１、同調制御回路ＴＣＣ１、及び負荷回路ＬＤ１は、第１チューナＴＵＮ１を構成する。可同調回路ＴＵＣ２、同調制御回路ＴＣＣ２、及び負荷回路ＬＤ２は、第２チューナＴＵＮ２を構成する。受信機は、例えばバッテリ、又は主アウトレットに結合される電源とすることができる電気エネルギー源から、主供給電圧ＶＣＣを受電する。主供給電圧ＶＣＣは、例えば５ボルトとすることができる。
【００１３】
受信機ＲＥＣは、基本的に、以下の通り動作する。２つの可同調回路ＴＵＣ１，ＴＵＣ２は、入力回路ＩＮＰから、それぞれチューナ入力信号ＴＩ１，ＴＩ２を受信する。チューナ入力信号ＴＩ１，ＴＩ２は、受信機ＲＥＣが受信する無線周波数スペクトラムＲＦの少なくとも一部を含む。入力回路ＩＮＰは、例えば、所望の周波数帯の外側にある信号を減衰させるための、全ての経路特性又はバンドパス特性を有する信号スプリッタとすることができる。
【００１４】
２つの可同調回路ＴＵＣ１，ＴＵＣ２は、チューナ入力信号ＴＩ１，ＴＩ２にそれぞれ応答して、チューナ出力信号ＴＯ１，ＴＯ２を供給する。チューナ出力信号ＴＯ１は、無線周波数スペクトラムＲＦの特定チャンネルからのオーディオビジュアル情報を表す。チューナ出力信号ＴＯ２は、無線周波数スペクトラムＲＦの別の特定チャンネルからのオーディオビジュアル情報を表す。即ち、２つの可同調回路ＴＵＣ１，ＴＵＣ２は、無線周波数スペクトラムＲＦ内の異なるチャンネルに同調させることができる。チューナ出力信号ＴＯ１，ＴＯ２を受信するバックエンド回路ＢＥＣは、チューナ出力信号ＴＯ１，ＴＯ２のオーディオビジュアル情報の合成を生成する。図１に示すピクチャ・イン・ピクチャの画像は、このような合成の例である。
【００１５】
２つの可同調回路ＴＵＣ１，ＴＵＣ２は、例えば２つの可同調回路ＴＵＣ１，ＴＵＣ２内のバラクタなどの電気的な可同調素子にそれぞれ供給される同調電圧ＶＴ１，ＶＴ２を受信する。従って、これらの同調電圧ＶＴ１，ＶＴ２は、２つの可同調回路ＴＵＣ１，ＴＵＣ２が同調させるそれぞれのチャンネルを決定する。２つの可同調回路ＴＵＣ１，ＴＵＣ２は、同調電圧ＶＴ１，ＶＴ２をそれぞれ変えることによって、所望の周波数帯内で独立に同調させることができる。同調電圧ＶＴ１，ＶＴ２は、典型的には下側境界の０ボルトと上側境界の３３ボルト以上とを有する電圧範囲に含まれる。
【００１６】
同調電圧ＶＴ１の発生は、同調制御回路ＴＣＣ１、負荷回路ＬＤ１、及びＤＣ−ＤＣコンバータＤＣＣを伴う。同調電圧ＶＴ２の発生は、同調制御回路ＴＣＣ２、負荷回路ＬＤ２、及びＤＣ−ＤＣコンバータＤＣＣも伴う。従って、ＤＣ−ＤＣコンバータＤＣＣは、同調電圧ＶＴ１，ＶＴ２の双方の発生に関係する。ＤＣ−ＤＣコンバータＤＣＣは、主供給電圧ＶＣＣに基づいて増大化した供給電圧ＶＨを供給するＤＣ電圧源を構成する。このために、ＤＣ−ＤＣコンバータＤＣＣは、整流される比較的大きい大きさの発振信号を発生することができる。例えば、この増大化供給電圧ＶＨは、３３ボルトとすることができる。
【００１７】
２つの同調制御回路ＴＣＣ１，ＴＣＣ２は、２つの可同調回路ＴＵＣ１、ＴＵＣ２から発振周波数ＦＯ１，ＦＯ２の信号を受信し、且つコントローラＣＴＲＬから同調コマンドＴＣ１，ＴＣ２をそれぞれ受信する。発振周波数ＦＯ１，ＦＯ２は、２つの可同調回路ＴＵＣ１，ＴＵＣ２がそれぞれ実際に同調させるチャンネルの指標を提供する。同調コマンドＴＣ１，ＴＣ２は、２つの可同調回路ＴＵＣ１，ＴＵＣ２がそれぞれ同調させるべきチャンネルを規定する。コントローラＣＴＲＬは、ユーザが遠隔制御装置ＲＣＤで入力した１つ以上のチャンネル選択に基づいて同調コマンドＴＣ１，ＴＣ２を供給する。同調制御回路ＴＣＣ１は、同調電圧ＶＴ１を制御して、可同調回路ＴＵＣ１によって同調コマンドＴＣ１が規定するチャンネルに同調させるようにする。同様に、同調制御回路ＴＣＣ２は、同調電圧ＶＴ２を制御して、可同調回路ＴＵＣ２によって同調コマンドＴＣ２が規定するチャンネルに同調させるようにする。
【００１８】
より詳しく説明すると、２つの同調制御回路ＴＣＣ１，ＴＣＣ２は、それぞれ２つの負荷回路ＬＤ１，ＬＤ２を介して流れる負荷電流ＩＬ１，ＩＬ２を供給する。負荷電流ＩＬ１は、負荷回路ＬＤ１を介して流れ、負荷回路ＬＤ１内で電圧降下を生じさせる。同様に、負荷電流ＩＬ２は、負荷回路ＬＤ２を介して流れ、負荷回路ＬＤ２内で電圧降下を生じさせる。必要とされる同調電圧ＶＴ１が低いほど、必要とされる負荷電流ＩＬ１は大きくなる。同様に、必要とされる同調電圧ＶＴ２が低いほど、必要とされる負荷電流ＩＬ２は大きくなる。
【００１９】
所定の抵抗値を有する抵抗が、負荷回路ＬＤ１を形成するものとする。この場合、同調電圧ＶＴ１は、ＤＣ−ＤＣコンバータＤＣＣが供給する増大化供給電圧ＶＨから単一抵抗の所定の抵抗値と負荷電流ＩＬ１とを乗算した値を差分した値に等しくなる。ＤＣ−ＤＣコンバータＤＣＣは、負荷電流ＩＬ１を供給する必要がある。ＤＣ−ＤＣコンバータＤＣＣは、比較的低い所定の電源供給能力を有しており、次のような現象を引き起こしうる。ＤＣ−ＤＣコンバータＤＣＣが供給する必要がある負荷電流ＩＬ１が大きくなるほど、増大化供給電圧ＶＨは低くなる傾向にある。即ち、負荷電流ＩＬ１の比較的高い値は、言うなれば、増大化供給電圧ＶＨを降下させる。負荷電流ＩＬ１は、同調電圧ＶＴ１が比較的小さい（例えば、たった１ボルトなどの）ときに、比較的高い値を有する。従って、同調電圧ＶＴ１の比較的低い値は、増大化供給電圧ＶＨを降下させる。増大化供給電圧ＶＨは、臨界レベルの下方まで低下するというリスクがある。臨界レベルは、同調電圧ＶＴ２が可同調回路ＴＵＣ２を正しく同調させるのに必要となる値の最高値として規定することができる。
【００２０】
図２Ａは、前述の現象を示す表である。図２Ａは、可同調回路ＴＵＣ１が同調させるチャンネルＣＨを表す左列と、同調電圧ＶＴ１を表す中列と、同調電圧ＶＴ２を表す右列とを有するテーブルである。この表は、図１に示す受信機ＲＥＣが測定モードで動作する際に得られる。測定モードでは、負荷電流ＩＬ２がゼロに等しくなるように同調制御回路ＴＣＣ２を非活性化する。これは、同調電圧ＶＴ２が増大化供給電圧ＶＨにほぼ等しくなることを意味する。
【００２１】
可同調回路ＴＵＣ１は、Ａ，Ｂ，Ｃ，Ｄ及びＥという５つの異なるチャンネルに同調させる。左側欄は、同調電圧ＶＴ１が降下するとき、同調電圧ＶＴ２が降下することを示す。同調電圧ＶＴ１が０．３ボルトであるチャンネルＥに、可同調回路ＴＵＣ１を同調させる場合に、同調電圧ＶＴ２は１９．６ボルトの値に降下している。これは、可同調回路ＴＵＣ１がチャンネルＥに同調させるときに、可同調回路ＴＵＣ２は、同調電圧ＶＴ２が１９．６ボルトを超える値を必要とするチャンネルに同調できないことを意味する。これは、所望の特定チャンネルに可同調回路ＴＵＣ２を同調するために、例えば同調電圧ＶＴ２が２５ボルトである必要がある場合、許容できないことになる。つまり、可同調回路ＴＵＣ１をチャンネルＥに同調させている間、その所望の特定チャンネルに可同調回路ＴＵＣ２を同調できなくなる。
【００２２】
ＤＣ−ＤＣコンバータＤＣＣの電源供給能力を増大することは、前述したように同調問題を防ぐオプションとなる。電源供給能力を増大することで、増大化供給電圧ＶＨを負荷電流ＩＬ１及び負荷電流ＩＬ２に依存させなくして、それ故、同調電圧ＶＴ１及び同調電圧ＶＴ２に依存させないようにすることができる。しかしながら、電源供給能力を増大することは、通常、ＤＣ−ＤＣコンバータＤＣＣ内で発振信号電力の増大を必要とする。比較的高い発振信号電力は、干渉を起こしうる。適切なシールディングによって干渉を低減させることができるが、これは、通常、比較的高価になる。総括すると、ＤＣ−ＤＣコンバータＤＣＣの電源供給能力を増大することは、干渉又はコスト、又はその双方に関して欠点を伴うことになる。
【００２３】
負荷回路ＬＤ１及び負荷回路ＬＤ２のインピーダンスを増大させることは、前述したような同調問題を防ぐための別のオプションとなる。負荷回路ＬＤ１のインピーダンスが低いほど、同調電圧ＶＴ１が比較的低い値を有するオーダーで必要とされる負荷電流は低くなり、従って、増大化供給電圧ＶＨが降下する範囲は、より低くなる。これは、負荷回路ＬＤ２及び同調電圧ＶＴ２に関しても同じく適用される。しかしながら、負荷回路ＬＤ１のインピーダンスとＤＣ−ＤＣコンバータＤＣＣの出力インピーダンスは、増大化供給電圧ＶＨの割合に関して同調電圧ＶＴ１の最大値を決定する分圧器を構成することになる。従って、負荷回路ＬＤ１のインピーダンスを増大させると、この同調電圧ＶＴ１の最大値は減少する。この最大値は、可同調回路ＴＵＣ１を対象とする周波数帯内の任意の所望のチャンネルに同調できるように、十分高くする必要がある。この条件は、前述した増大化供給電圧ＶＨのための臨界レベルと同様である。次に残るオプションは、前述したように、ＤＣ−ＤＣコンバータの電源供給能力を増大することである。本発明は、前述したように、より良いオプションを提供する。
【００２４】
図３は、負荷回路ＬＤ１及び同調制御回路ＴＣＣ１の詳細を示す。負荷回路ＬＤ１は、各々が２つの端子を有する２つの抵抗Ｒ１，Ｒ２と、カソード及びアノードを有するダイオードＤ１とを備える。抵抗Ｒ１の一方の端子は、増大化供給電圧ＶＨを受電する。その他方の端子は、ダイオードＤ１のカソードに結合される。また、抵抗Ｒ２の一方の端子は、そのカソードに結合され、その他方の端子は、同調電圧ＶＴ１を供給する。ダイオードＤ１のアノードは、主供給電圧ＶＣＣを受電する。抵抗Ｒ１，Ｒ２は、例えば、それぞれ３９キロオーム（ｋΩ）及び３．９ｋΩの値を有することができる。ダイオードＤ１は、いわゆるＰＩＮダイオード（ＰＩＮは、Ｐタイプ、イントリンシック、Ｎタイプの頭文字である）とするのが好適である。
【００２５】
同調制御回路ＴＣＣ１は、位相ロックループ集積回路ＰＬＬと、２つのコンデンサＣ１，Ｃ２と、２つの抵抗Ｒ３，Ｒ４とを備える。位相ロックループ集積回路ＰＬＬは、チャージポンプ回路ＣＰと増幅器回路ＯＡとを有する。位相ロックループ集積回路ＰＬＬの外部の２つのコンデンサＣ１，Ｃ２及び抵抗Ｒ４は、増幅器回路ＯＡ用のフィードバック経路を構成する。位相ロックループ集積回路ＰＬＬは、適切なタイプの商業上利用可能な集積回路とすることができる。コンデンサＣ１，Ｃ２は、例えばそれぞれ１００ナノファラッド（ｎＦ）及び１．５ｎＦの値を有することができる。抵抗Ｒ３，Ｒ４は、例えば、それぞれ１５ｋΩ及び１００Ωの値を有することができる。
【００２６】
同調制御回路ＴＣＣ１は、以下の通り動作する。増幅器回路ＯＡは、チャージポンプ回路ＣＰから電流パルスを受信する。電流パルスは、可同調回路ＴＵＣ１の発振周波数ＦＯ１と同調コマンドＴＣ１が規定する所望の発振周波数との間の位相及び周波数の差の関数として変化する。電流パルスは、ほとんど増幅器回路ＯＡのフィードバック経路を介して流れる。容量性の性質があるフィードバック経路は、積分関数で電流−電圧変換を規定する。従って、電流パルスは、同調電圧ＶＴ１における変化を生じさせる。同調電圧ＶＴ１における変化は、可同調回路ＴＵＣ１の発振周波数ＦＯ１における変化を生じさせる。安定状態の状況で、同調電圧ＶＴ１は、発振周波数ＦＯ１を同調コマンドＴＣ１が規定する所望の発振周波数に等しくさせる値を有する。
【００２７】
同調制御回路ＴＣＣ１は、同調電圧ＶＴ１を負荷回路ＬＤ１を介して流れる負荷電流ＩＬ１によって特定の値に設定する。増大化供給電圧ＶＨは３３ボルトに等しく、ＤＣ−ＤＣコンバータＤＣＣの出力インピーダンスは、ゼロに等しいものとする。更に、同調制御回路ＴＣＣ１は、同調電圧ＶＴ１を２５ボルトに設定するものとする。この場合、負荷電流ＩＬ１は、ほとんど抵抗Ｒ１，Ｒ２を介して流れる。カソードが５ボルトを十分に超える電圧を受電するので、ダイオードＤ１を介する電流はほとんど流れない。従って、ＤＣ−ＤＣコンバータＤＣＣは、負荷電流ＩＬ１のほとんどを供給する。負荷電流ＩＬ１が抵抗Ｒ１，Ｒ２の端子間に８ボルトの電圧降下を生じさせる必要があるので、負荷電流ＩＬ１は、比較的小さい。
【００２８】
ここで、同調制御回路ＴＣＣ１は、同調電圧ＶＴ１を１０ボルトに設定するものとする。まだカソードが５ボルトを十分に超える電圧を受電するので、負荷電流ＩＬ１は、ほとんど抵抗Ｒ１，Ｒ２を介してまだ流れているものとする。従って、ＤＣ−ＤＣコンバータＤＣＣは、ほとんど負荷電流ＩＬ１を供給する。負荷電流ＩＬ１は、これら抵抗間に２３ボルトの電圧降下を生じさせる必要がある。従って、負荷電流ＩＬ１は、同調電圧ＶＴ１が２５ボルトに設定されている前述した場合よりも大きくなる。
【００２９】
ここで、同調制御回路ＴＣＣ１が同調電圧ＶＴ１を２ボルトに設定するものとする。負荷電流ＩＬ１は、抵抗Ｒ２を介してほとんど流れる。負荷電流ＩＬ１のかなりの部分は、ダイオードＤ１を介してほとんど流れる。ダイオードＤ１は導通している。ダイオードＤ１のカソードは、典型的には５ボルトから０．２〜０．３ボルトの間に含まれるダイオードジャンクション電圧を差分した値にほぼ等しい電圧を有する。従って、抵抗Ｒ１の端子間に、約２８．２ボルトの電圧降下がある。ＤＣ−ＤＣコンバータＤＣＣは、前述の電圧降下を生じさせる出力電流を供給する必要がある。しかしながら、この出力電流は、ダイオードＤ１が無い場合にＤＣ−ＤＣコンバータが供給する必要が生じる負荷電流ＩＬ１よりも小さくなる。前述の例は、０ボルトと約４．８ボルトとの間に含まれる範囲の同調電圧ＶＴ１の任意の値に適用することができる。
【００３０】
包括して述べると、同調電圧ＶＴ１が約４．８ボルトより大きい場合、ＤＣ−ＤＣコンバータＤＣＣは、ほとんど負荷電流ＩＬ１を供給する。同調電圧ＶＴ１が約４．８ボルトよりも小さい場合、同調制御回路ＴＣＣ１は、主供給電圧ＶＣＣ１からダイオードＤ１を介して負荷電流の一部を得る。ＤＣ−ＤＣコンバータＤＣＣが同調制御回路ＴＣＣ１に供給するのに最大電流が存する。最大電流は、増大化供給電圧ＶＨから４．８ボルトを差分した値を抵抗Ｒ１の値で除算した値にほぼ等しくなる。負荷回路ＬＤ１は、同調電圧ＶＴ１が比較的低い値を必要とする場合に、同調制御回路ＴＣＣ１がＤＣ−ＤＣコンバータＤＣＣからかなり大きな電流を得るのを防ぐ。これにより、同調電圧ＶＴ１が比較的低いときに、ＤＣ−ＤＣコンバータＤＣＣの出力インピーダンスの所定の値に対して生じる増大化供給電圧ＶＨの電圧降下を制限する。
【００３１】
図２Ｂは、図１及び３で示す発明による受信機ＲＥＣの測定値を示す。図２Ｂは、図２Ａに示す表と同様な表である。この表は、負荷電流ＩＬ２がゼロに等しくなるように同調制御回路ＴＣＣ２が非活性化される測定モードで、図１に示す受信機ＲＥＣが動作している間に得られる。これは、同調電圧ＶＴ２が増大化供給電圧ＶＨにほとんど等しくなることを意味する。
【００３２】
可同調回路ＴＵＣ１は、図２Ａに示すものと同じく、Ａ，Ｂ，Ｃ，Ｄ及びＥという５つの異なるチャンネルに同調させる。同調電圧ＶＴ１が０．３ボルトであるチャンネルＥに、可同調回路ＴＵＣ１を同調させる場合に、図２Ａでは同調電圧ＶＴ２は１９．６ボルトの値に降下していたが、図２Ｂでは同調電圧ＶＴ２は２５．１ボルトの値にしか降下していない。これは、可同調回路ＴＵＣ２によって、同調電圧ＶＴ２が２５ボルトに等しい値を必要とするチャンネルに同調できることを意味しており、これは、図２Ａの場合ではＤＣ−ＤＣコンバータＤＣＣが同じ構成であるが可能ではなかったものである。
【００３３】
従って、図２Ｂにて、比較的高い電力を有するＤＣ−ＤＣコンバータＤＣＣを必要とすることなく、同調電圧ＶＴ１が比較的低い値を有するときでさえ、同調電圧ＶＴ２は、比較的高い値を有することができることを示している。前述したように、ＤＣ−ＤＣコンバータＤＣＣの電源供給能力を増大することは、干渉又は高めのコスト、又はその双方の高いリスクを伴う。本発明は、ダブルチューナ受信機ＲＥＣに必要とされうる電源供給能力の増大の必要性を防ぐ。図１及び３に示す発明による受信機ＲＥＣは、干渉のない動作を可能にし、比較的低いコストで実施できるダブルチューナ受信機である。
【００３４】
第２チューナＴＵＮ２内の負荷回路ＬＤ２は、第１チューナＴＵＮ１内の負荷回路ＬＤ１と同様にすることができる。これにより、同調電圧ＶＴ２が、前述した理由による比較的低い値を有する際に、同調電圧ＶＴ１は、比較的高い値を有することができる。 
[結び]
【００３５】
図面を参照した上記の詳細な説明は、様々な独立請求項で列記される以下の特徴を示している。受信機（ＲＥＣ）は、２つのチューナ（ＴＵＮ１，ＴＵＮ２）と、主供給電圧（ＶＣＣ）に基づいて増大化供給電圧（ＶＨ）を発生するＤＣ−ＤＣコンバータ（ＤＣＣ）とを備える。２つのチューナ（ＴＵＮ１，ＴＵＮ２）の各々は、同調電圧（ＶＴ１，ＶＴ２）によって同調させることができる可同調回路（ＴＵＣ１，ＴＵＣ２）を備える。２つのチューナ（ＴＵＮ１，ＴＵＮ２）の各々は、更に、同調電圧（ＶＴ１，ＶＴ２）を発生する負荷回路（ＬＤ１，ＬＤ２）を介してＤＣ−ＤＣコンバータ（ＤＣＣ）に結合される同調制御回路（ＴＣＣ１，ＴＣＣ２）を備える。２つのチューナのうちの少なくとも一方（ＴＵＮ１）の負荷回路（ＬＤ１）は、主供給電圧（ＶＣＣ）を受電するように結合された枝路（Ｄ１）を備える。枝路（Ｄ１）は、同調電圧（ＶＴ１）が０と主供給電圧（ＶＣＣ）との間に実質的に含まれる電圧範囲内にあるときに導通となる。
【００３６】
上記の詳細な説明は、更に、従属請求項で列記される様々なオプションの特徴を示している。前述の特徴と組み合わせて、これらの特徴を有利に適用することができる。様々なオプションの特徴は、以下の段落で強調する。各段落は、特定の従属請求項に対応している。
【００３７】
主供給電圧（ＶＣＣ）を受電するように結合される負荷回路（ＬＤ１）の枝路（Ｄ１）は、ダイオードからなる。この特徴は、同調電圧が比較的低いときに枝路を導通するように構成するのにダイオードが比較的安い素子であるので、低いコストの実装を可能にする。
【００３８】
負荷回路（ＬＤ１）は、２つの抵抗（Ｒ１，Ｒ２）がコモンノードを有するように、直列に結合した２つの抵抗（Ｒ１，Ｒ２）を備える。一方の抵抗（Ｒ１）は、増大化供給電圧（ＶＨ）が存在する端子を有する。他方の抵抗（Ｒ２）は、同調電圧（ＶＴ１）が存在する端子を有する。ダイオードは、２つの抵抗（Ｒ１，Ｒ２）のコモンノードに結合される。これらの特徴は、負荷回路は、比較的少なめのコンポーネントで実施可能となり、従って、効率効率に寄与する。
【００３９】
２つの抵抗（Ｒ１，Ｒ２）のそれぞれの値は、増大化供給電圧（ＶＨ）を増大化供給電圧（ＶＨ）が存在する端子を有する抵抗（Ｒ１）の値で除算した値が、主供給電圧（ＶＣＣ）を同調電圧（ＶＴ１）が存在する端子を有する抵抗（Ｒ２）の値で除算した値の大きさのオーダー以内にあるという規則に従った値を有する。この特徴は、満足のいく同調制御の動作に寄与する滑らかな負荷電流の特性を可能する。
【００４０】
多数の異なる態様で、前述の特徴を実現することができる。これを示すために、簡潔に幾つかの代替例を示す。
【００４１】
本発明による受信機は、複数のチューナを備える任意のタイプの受信機とすることができる。ピクチャ・イン・ピクチャの画像を供給できるテレビジョン受信機は、一例でしかない。別の例として、受信機は、レンダリングされるチャンネルを受信するチューナと、別のチャンネルを同時に記録する別のチューナとを有する、セットトップボックスとすることができる。 更に、受信機の１つのチューナは、特定の周波数帯内で同調可能にすることができ、その一方で、別のチューナは異なる周波数帯内で同調可能にすることができる。例えば、本発明は、一体型ＦＭ／ＴＶ受信機に適用することができる。各チューナは、特定の入力端を有することができる。図１を参照するに、入力回路ＩＮＰは、第１チューナＴＵＮ１に専用化した入力回路、及び第２チューナＴＵＮ２に専用化した別の入力回路に取って替えることができる。更に、２つのチューナを有する受信機は、一例でしかないことに留意すべきである。本発明による受信機は、例えば３つのチューナを備えることができる。ＤＣ−ＤＣコンバータは、全ての３つのチューナで同調電圧を発生させるのに関係するように構成するか、又は２つのチューナだけに同調電圧を発生させるのに関係するように構成することもできる。
【００４２】
主供給電圧を受電し、且つ同調電圧が比較的低いときに導通する、負荷回路の枝路は、多数の異なる態様で実現することができる。上述の詳細な説明は、ダイオードが枝路を形成する一例を単に提供したものである。別の例として、枝路は、同調電圧が比較的低いときに導通するスイッチング素子からなるものとすることができる。図３を参照するに、可制御スイッチは、ダイオードＤ１を取って替えることができる。同調コマンドＴＣ１は、同調コマンドＴＣ１が同調電圧ＶＴ１の値の指標を供給するので、可制御スイッチを制御することができる。別の例として、同調電圧ＶＴ１を受電する電圧検出回路は、ダイオードＤ１を取って替える可制御スイッチを制御することができる。
【００４３】
ハードウェア、ソフトウェア、又はその双方の項目によって機能を実行する多数のやり方がある。この点で、各図面は極めて図式的であり、各々が本発明の１つの可能な実施例だけを表している。従って、図面は、異なるブロックとして種々の機能を示しているが、ハードウェア又はソフトウェアの単一項目が幾つかの機能を行うことを除外するものではない。または、それは除かれない。ハードウェア、ソフトウェア又はその双方の項目のアセンブリが１つの機能を行うことを除外するものではない。
【００４４】
前述した結びが、図面を参照しての詳細な説明が、発明を制限するものでないことを示している。請求の範囲内に置かれる多数の代替手段がある。請求の範囲に係る如何なる参照記号も請求の範囲を限定解釈すべきではない。用語“含む（備える）”は、請求の範囲に記載されたもの以外の要素又はステップの存在を除外するものではない。単数で扱う要素又はステップは、このような要素又はステップの複数の存在を除外するものではない。
【図面の簡単な説明】
【００４５】
【図１】オーディオビジュアル装置を示すブロック図である。
【図２Ａ】オーディオビジュアル装置内の同調電圧を示す表である。
【図２Ｂ】オーディオビジュアル装置内の同調電圧を示す表である。
【図３】オーディオビジュアル装置内で同調電圧を発生する際に関る同調制御回路及び負荷回路の詳細を示す回路図である。
【図１】
2009524965.tif 000003
【図２Ａ】
2009524965.tif 000004
【図２Ｂ】
2009524965.tif 000005
【図３】
2009524965.tif 000006
【国際調査報告】
2009524965.tif 000007
2009524965.tif 000008